(57)【要約】  【課題】  前記光源から出射される光の光量を増やすことなく、前記スクリーンに投影される所定の色の光量を増やし、明るく色彩鮮やかに投影する。  【解決手段】  所定の色を前記スクリーンＳｃに投影するときのカラーホイール３の回転速度は、スクリーンＳｃに投影される色のＲＧＢ成分のうち、多く含まれる成分のカラーフィルタが光の照射部を通過するときは遅く、少ない成分のカラーフィルタが通過するときは速く回転する。【選択図】      図２
2006011087.tif 000002
【特許請求の範囲】
【請求項１】
白色光を照射する白色ランプと、
前記白色ランプより出射された白色光の光強度を均一化するライトトンネルと、
６個の等中心角度を有する領域に分割されており、前記各領域に所定の順番でＲ／Ｇ／
Ｂのカラーフィルタが配列されている円盤状のカラーホイールと、
前記カラーホイールを透過した光を反射する反射板を備えたＤＭＤ（登録商標）と、
光を吸収する光吸収板と、
光をスクリーンに投影する投影レンズとを有しており、
前記カラーホイールは回転しており、前記ライトトンネルより出射した光は前記各カラ
ーフィルタのうち１つを透過することで、該光はＲＧＢの各波長の光に順次偏光され、
前記ＤＭＤ（登録商標）は前記反射板を駆動して入射してきたＲＧＢ色の光のうち必要
な色の光を必要な時間投影レンズに向けて反射し、不要な光を前記光吸収板に向けて反射
するものであり、
前記カラーホイールの１回転にかかる時間は等速回転時と同一であり、
所定の色を前記スクリーンに投影するときの前記カラーホイールの回転速度は、前記ス
クリーンに投影される色のＲＧＢ成分のうち、多く含まれる成分の光に偏光するカラーフ
ィルタが光の照射部を通過するときは遅く、少ない成分の光に偏光するカラーフィルタが
通過するときは速く回転することを特徴とするプロジェクタ。
【請求項２】
ＲＧＢの各色成分を均等に又は略均等に含む光を出力できる光源と、
前記光源より出射された光の光強度を均一化するライトトンネルと、
等中心角度を有する領域に分割されており、前記各領域にＲ／Ｇ／Ｂのカラーフィルタ
が同数ずつ所定の順番で配列されている円盤状のカラーホイールと、
前記カラーホイールを透過した光を反射する反射板を備えたＤＭＤ（登録商標）と、
光を吸収する光吸収板と、
光をスクリーンに投影する投影レンズとを有しており、
前記カラーホイールは回転しており、前記ライトトンネルより出射する光は前記各カラ
ーフィルタのうち１つを透過することで、ＲＧＢの各波長の光に順次偏光され、
前記ＤＭＤ（登録商標）は前記反射板を駆動して入射してきたＲＧＢ色の光のうち必要
な色の光を必要な時間投影レンズに向けて反射し、不要な光を前記光吸収板に向けて反射
するものであり、
前記カラーホイールの１回転にかかる時間は等速回転時と同一であり、
所定の色を前記スクリーンに投影するときの前記カラーホイールの回転速度は、前記ス
クリーンに投影される色のＲＧＢ成分のうち、多く含まれる成分の光に偏光するカラーフ
ィルタが光の照射部を通過するときは遅く、少ない成分の光に偏光するカラーフィルタが
通過するときは速く回転することを特徴とするプロジェクタ。
【請求項３】
ＲＧＢの各色成分を均等に又は略均等に含む光を、光強度を均一化するライトトンネル
を透過させた後、Ｒ／Ｇ／Ｂのカラーフィルタが同数ずつ所定の順番で配列されている円
盤状のカラーホイールに照射し、ＲＧＢ各色の光に順次偏光し、ＤＭＤ（登録商標）によ
って前記カラーホイールを透過した光のうち必要な色の光を必要な時間投影レンズに、反
射しそれ以外の光は光吸収板に反射させるプロジェクタにおいて、
前記カラーホイールの１回転の時間が等速回転時と同一になるように回転させると共に
、所定の色を前記スクリーンに投影するときに、前記カラーホイールの回転速度を、前記
色のＲＧＢ成分のうち、多く含まれる成分の光に偏光するカラーフィルタが光の照射部を
通過するときは遅く、少ない成分の光に偏光するカラーフィルタが通過するときは速く回
転させることを特徴とするプロジェクタの制御方法。
【請求項４】
ＲＧＢの各色成分を均等に又は略均等に含む光を、光強度を均一化するカラートンネル
を透過させた後、Ｒ／Ｇ／Ｂのカラーフィルタが同数ずつ所定の順番で配列されている円
盤状のカラーホイールに照射し、ＲＧＢ各色の光に順次偏光し、ＤＭＤ（登録商標）によ
って前記カラーホイールを透過した光のうち必要な色の光を必要な時間投影レンズに、反
射しそれ以外の光は光吸収板に反射させるプロジェクタにおいて、
前記カラーホイールの１回転の時間が等速回転時と同一になるように回転させると共に
、所定の色を前記スクリーンに投影するとき前記カラーホイールの回転速度を、前記色の
ＲＧＢ成分のうち、多く含まれる成分の光に偏光するカラーフィルタが光の照射部を通過
するときは遅く、少ない成分の光に偏光するカラーフィルタが通過するときは速く回転さ
せることを特徴とするプロジェクタの制御方法。
【発明の詳細な説明】
【技術分野】
【０００１】
本発明は、ＤＬＰ(Digital Light Processing）（登録商標）技術を利用したプロジェ
クタ及び該プロジェクタに用いられるカラーホイールの制御方法に関するものである。
【背景技術】
【０００２】
ＤＬＰ（登録商標）技術を利用したプロジェクタは、半導体素子に多数の反射板を配置
したＤＭＤ（Digital Mirror Device）（登録商標）に光を照射し、その反射光をレンズ
で拡大投影するものである。
【０００３】
図１にＤＬＰ(登録商標)技術を利用したプロジェクタの概略配置図を示す。図１に示す
プロジェクタＡは、光源である白色ランプ１と、光源より出射された光の光強度を均一化
するライトトンネル２と、光をＲＧＢの各成分の波長に順次偏光するカラーホイール３と
、光を反射するＤＭＤ（登録商標）４と、光吸収板５と、投影レンズ６とを有している。
光源としてここでは白色ランプを採用しているが、白色ランプ以外にもＲＧＢ全ての波長
の光を有する光を出射する光源を広く採用することができる。
【０００４】
カラーホイール３はそれには限定されないがここでは、後述の図３（Ａ）に示すように
６分割されており、それぞれ、光をＲの波長に偏光するカラーフィルタを備えたＲ領域、
Ｇの波長に偏光するカラーフィルタを備えたＧ領域、Ｂの波長に偏光するカラーフィルタ
を備えたＢ領域が形成されている。ＤＭＤ（登録商標）４は、半導体の上部に反射板を配
置した形状を有している。
【０００５】
プロジェクタＡの動作は次のとおりである。光は白色ランプ１より光強度を均一化する
ライトトンネル２に入射した後、カラーホイール３に照射される。カラーホイール３は高
速且つ等速で回転しており、カラーホイール３に照射された光はＲ／Ｇ／Ｂの各領域のい
ずれかを通過する。このとき、Ｒ領域を透過した光は赤色の波長の光に偏光され、Ｇ領域
を透過した光は緑色の波長の光に偏光され、Ｂ領域を透過した光は青色の波長の光に偏光
される。これらの各色波長の光は連続してＤＭＤ（登録商標）４に照射される。
【０００６】
ＤＭＤ（登録商標）４は照射される光を所定の方向に反射するものであり、カラーホイ
ール３を通過してきた赤、緑、青の各波長の光のうち必要なものを投影レンズ６に反射し
、不要なものを光吸収板５に反射する。投影レンズ６に入射した光は拡大されスクリーン
Ｓｃに照射、表示される。カラーホイール３は高速回転しており、ＤＭＤ（登録商標）４
で選択的に反射されたＲＧＢの各波長の光が順次スクリーンに照射されても、人間の目は
反射量に対応するＲＧＢの合成した色として認識する。
【０００７】
図３（Ａ）に図１に示すプロジェクタに用いられるカラーホイールの一例を示す図を、
図３（Ｂ）に図３（Ａ）に示すカラーホイールの運転状態のタイミングチャートを示す。
カラーホイール３はそれには限定されないが、円周方向に６等分に分割されており、中心
に対し対向する領域をそれぞれ、Ｒ領域、Ｇ領域、Ｂ領域として形成されている。カラー
ホイール３は図中矢印で示す方向に回転している。
【０００８】
カラーホイール３はそれには限定されないがここでは、１分間に７２００回転（７２０
０ｒｐｍ）しているとすると、カラーホイール３が１回転するのに約８．４ｍｓかかる。
このとき、白色ランプ１から照射される光が１つの領域に照射する時間は約１．４ｍｓで
ある。カラーホイール３は回転しており、前半の０．２ｍｓと後半の０．２ｍｓは隣り合
う領域にも光が照射されているので利用しない。
【０００９】
図３（Ｂ）はＲ（赤）：Ｇ（緑）：Ｂ（青）＝５：１：１で混合する色をスクリーンＳ
ｃ上に表示するときのタイミングチャートである。最上段にカラーホイール３の回転速度
を、中段にＤＭＤ（登録商標）が投影レンズに反射しているか、光吸収板に反射している
かを、下段にスクリーンに投影される光の反射時間を、最下段にはＲＧＢの各領域が光の
照射部を通過する時間を示している。カラーホイール３は半周ごとに同じ順番（Ｒ領域、
Ｇ領域、Ｂ領域）に光が照射される。ここでは、便宜上カラーホイール３の半周をタイミ
ングチャートにしてある。
【００１０】
Ｒ領域に光が照射するのは１．４ｍｓであり、そのうち前後０．２ｍｓはカラーホイー
ル３のＲ領域の前後の色（すなわち前はＢ、後はＧ）の波長の光が混じる可能性がある。
よって、ＤＭＤ（登録商標）４を駆動して、Ｒ領域を透過してきた光のうち、前後０．２
ｍｓは光吸収板５に照射するように反射させる。そして、残りの１．０ｍｓを投影レンズ
６に照射するように反射させることで、赤の波長の光を投影レンズ６に照射する（図３（
Ｂ）参照）。
【００１１】
次に緑（Ｇ）の色成分は赤（Ｒ）の色成分の１／５であるので、ＤＭＤ（登録商標）４
は、光がＧ領域を透過している間の０．２ｍｓだけ投影レンズ６に向けて照射するように
反射し、それ以外は光吸収板５に照射するように反射する。Ｂ領域においてもＧ領域と同
様に０．２ｍｓだけ投影レンズ６に反射し、それ以外は光吸収板５に照射するように反射
する（図３（Ｂ）参照）。
【００１２】
このようにして、Ｒ波長の光が１．０ｍｓ、Ｇ波長、Ｂ波長の光がそれぞれ０．２ｍｓ
投影レンズ６に照射され、スクリーンＳｃに照射される。この間にかかった時間は４．２
ｍｓであるので人間の目には、スクリーンＳｃにＲ（赤）：Ｇ（緑）：Ｂ（青）＝５：１
：１で混合した光を照射したように見える。以上に示すのと同様の方法で、ＲＧＢの成分
比率を変更し、スクリーンＳｃ上にフルカラー画像を投影することができる。
【特許文献１】特開２００３−２９５３１８号公報
【特許文献２】特開２００３−３０７７０５号公報
【発明の開示】
【発明が解決しようとする課題】
【００１３】
しかしながら、上述の。Ｒ（赤）：Ｇ（緑）：Ｂ（青）＝５：１：１で混合した光の場
合、Ｒの波長の光の照射時間が１．０ｍｓ、Ｇの波長、Ｂの波長の光の照射時間がそれぞ
れ０．２ｍｓであり、合計で１．４ｍｓである。カラーホイール３は半周で、４．２ｍｓ
かかるので、この場合カラーホイール３が半周するうちの２／３は光を光吸収板５に反射
しており、それだけ、スクリーンＳｃに投影される映像の光量は少なくなる。
【００１４】
上述の例ではＲ（赤）：Ｇ（緑）：Ｂ（青）＝５：１：１の場合を例に説明しているが
、それ以外の場合でも同様である。すなわち、スクリーンＳｃに投影される色をＲＧＢの
各成分に分解したときの、各波長の光の照射時間は最大で１．０ｍｓである。この照射時
間を基に他の色の波長の光の照射時間を決定するので光を光吸収板５に反射する時間が長
くなる。このことにより、スクリーンＳｃに投影される光の光量が少なく、スクリーンＳ
ｃに明るい映像を投影するのが困難であり、すなわち、白色ランプ１の光の利用効率が悪
い。
【００１５】
そこで本発明は、前記光源から出射される光の光量を増やすことなく、前記スクリーン
に投影される所定の色の光量を増やし、明るく色彩鮮やかに投影することを目的とする。
【課題を解決するための手段】
【００１６】
上述の目的を達成するために請求項１にかかる発明は、白色光を照射する白色ランプと
、前記白色ランプより出射された白色光の光強度を均一化するライトトンネルと、６個の
等中心角度を有する領域に分割されており、前記各領域に所定の順番でＲ／Ｇ／Ｂのカラ
ーフィルタが配列されている円盤状のカラーホイールと、前記カラーホイールを透過した
光を反射する反射板を備えたＤＭＤ（登録商標）と、光を吸収する光吸収板と、光をスク
リーンに投影する投影レンズとを有しており、前記カラーホイールは回転しており、前記
ライトトンネルより出射した光は前記各カラーフィルタのうち１つを透過することで、該
光はＲＧＢの各波長の光に順次偏光され、前記ＤＭＤ（登録商標）は前記反射板を駆動し
て入射してきたＲＧＢ色の光のうち必要な色の光を必要な時間投影レンズに向けて反射し
、不要な光を前記光吸収板に向けて反射するものであり、前記カラーホイールの１回転に
かかる時間は等速回転時と同一であり、所定の色を前記スクリーンに投影するときの前記
カラーホイールの回転速度は、前記スクリーンに投影される色のＲＧＢ成分のうち、多く
含まれる成分の光に偏光するカラーフィルタが光の照射部を通過するときは遅く、少ない
成分の光に偏光するカラーフィルタが通過するときは速く回転することを特徴とするプロ
ジェクタを提供する。
【００１７】
この構成によると、所定の色をスクリーンに投影する場合、該色のＲＧＢ成分のうち多
く含まれる成分の光に偏光するカラーフィルタを備えた領域に長時間光が照射され、少な
い部分では短時間の照射になるようにカラーホイールを回転させるので、トータルの光照
射時間を長くすることができる。
【００１８】
これにより、同じ光量のランプを用いて前記スクリーンに所定の色を投影する場合であ
っても、前記スクリーンへの光の照射時間が長く、光量が多くなっているので、明るい映
像を投影することが可能である。また、カラーホイールの１回転にかかる時間が等速回転
時と同じてあるので、回転速度が遅くなることで発生するフリッカー（ちらつき）の発生
も抑制することができる。
【００１９】
上述の目的を達成するために請求項２にかかる発明は、ＲＧＢの各色成分を均等に又は
略均等に含む光を出力できる光源と、前記光源より出射された光の光強度を均一化するラ
イトトンネルと、等中心角度を有する領域に分割されており、前記各領域にＲ／Ｇ／Ｂの
カラーフィルタが同数ずつ所定の順番で配列されている円盤状のカラーホイールと、前記
カラーホイールを透過した光を反射する反射板を備えたＤＭＤ（登録商標）と、光を吸収
する光吸収板と、光をスクリーンに投影する投影レンズとを有しており、前記カラーホイ
ールは回転しており、前記ライトトンネルより出射する光は前記各カラーフィルタのうち
１つを透過することで、ＲＧＢの各波長の光に順次偏光され、前記ＤＭＤ（登録商標）は
前記反射板を駆動して入射してきたＲＧＢ色の光のうち必要な色の光を必要な時間投影レ
ンズに向けて反射し、不要な光を前記光吸収板に向けて反射するものであり、前記カラー
ホイールの１回転にかかる時間は等速回転時と同一であり、所定の色を前記スクリーンに
投影するときの前記カラーホイールの回転速度は、前記スクリーンに投影される色のＲＧ
Ｂ成分のうち、多く含まれる成分の光に偏光するカラーフィルタが光の照射部を通過する
ときは遅く、少ない成分の光に偏光するカラーフィルタが通過するときは速く回転するこ
とを特徴とするプロジェクタを提供する。
【００２０】
この構成によると、光源としてＲ／Ｇ／Ｂの各波長の光を、均等に又は略均等に含むも
のを採用しているので、前記スクリーンに任意の色を色彩鮮やかに投影することが可能で
ある。
【００２１】
上述の目的を達成するために請求項３にかかる発明は、ＲＧＢの各色成分を均等に又は
略均等に含む光を、光強度を均一化するライトトンネルを透過させた後、Ｒ／Ｇ／Ｂのカ
ラーフィルタが同数ずつ所定の順番で配列されている円盤状のカラーホイールに照射し、
ＲＧＢ各色の光に順次偏光し、ＤＭＤ（登録商標）によって前記カラーホイールを透過し
た光のうち必要な色の光を必要な時間投影レンズに、反射しそれ以外の光は光吸収板に反
射させるプロジェクタにおいて、前記カラーホイールの１回転の時間が等速回転時と同一
になるように回転させると共に、所定の色を前記スクリーンに投影するときに、前記カラ
ーホイールの回転速度を、前記色のＲＧＢ成分のうち、多く含まれる成分の光に偏光する
カラーフィルタが光の照射部を通過するときは遅く、少ない成分の光に偏光するカラーフ
ィルタが通過するときは速く回転させることを特徴とするプロジェクタの制御方法を提供
する。
【００２２】
この構成によると、プロジェクタの基本構成を変えることなく、カラーホイールの回転
速度を最適に制御することで、光源から出射する光の光量を増やさなくても明るく、色彩
鮮やかな色を投影することが可能である。
【００２３】
これによって、既存のプロジェクタのカラーホイールの速度制御を変更することで、前
記スクリーンに投影される映像の光量を増やすことができ、それだけ、コストを抑え、無
駄を抑えることができる。
【００２４】
上述の目的を達成するために請求項４にかかる発明は、ＲＧＢの各色成分を均等に又は
略均等に含む光を、光強度を均一化するカラートンネルを透過させた後、Ｒ／Ｇ／Ｂのカ
ラーフィルタが同数ずつ所定の順番で配列されている円盤状のカラーホイールに照射し、
ＲＧＢ各色の光に順次偏光し、ＤＭＤ（登録商標）によって前記カラーホイールを透過し
た光のうち必要な色の光を必要な時間投影レンズに、反射しそれ以外の光は光吸収板に反
射させるプロジェクタにおいて、前記カラーホイールの１回転の時間が等速回転時と同一
になるように回転させると共に、所定の色を前記スクリーンに投影するとき前記カラーホ
イールの回転速度を、前記色のＲＧＢ成分のうち、多く含まれる成分の光に偏光するカラ
ーフィルタが光の照射部を通過するときは遅く、少ない成分の光に偏光するカラーフィル
タが通過するときは速く回転させることを特徴とするカラーホイールの制御方法を提供す
る。
【００２５】
この構成によると、カラーホイールの回転速度を最適に制御することで、光源から出射
する光の光量を増やさなくても明るく、色彩鮮やかな色を投影することが可能である。
【００２６】
これによって、既存のカラーホイールの速度制御を変更することで、前記スクリーンに
投影される映像の光量を増やすことができ、それだけ、コストを抑え、無駄を抑えること
ができる。
【発明の効果】
【００２７】
本発明によると、前記光源から出射される光の光量を増やすことなく、前記スクリーン
に投影される色の光量を増やし、明るく色彩鮮やかに投影できるプロジェクタ及びカラー
ホイールの制御方法を提供することができる。
【００２８】
又本発明によると、カラーホイールの回転速度を制御することで、スクリーンに投影さ
れる光の光量を調整することができるので、既存のプロジェクタにも適用することができ
、簡単、安価であるカラーホイールの制御方法を提供することができる。
【発明を実施するための最良の形態】
【００２９】
本発明を実施するための最良の形態について図面を参照して説明する。本発明にかかる
プロジェクタは図１に示すプロジェクタＡと同一の構成を有している。すなわち、ＲＧＢ
各色の波長を含む白色光を出力する白色ランプ１と、白色ランプ１より出射された光の光
強度を均一化するライトトンネル２と、ライトトンネル２より出射された光を、該光が透
過するときにＲＧＢのいずれかの色の波長に偏光するカラーフィルタを有するカラーホイ
ール３と、カラーホイール３を透過してきた光を反射する反射板を有するＤＭＤ（登録商
標）４と、ＤＭＤ（登録商標）４で反射する光のうち、不要な光を照射して光を吸収させ
る光吸収板５と、ＤＭＤ(登録商標）４にて反射された光を拡大してスクリーンＳｃに投
影する投影レンズ６とを有している。
【００３０】
白色ランプ１を出射した光は一旦ライトトンネル２を通過し光強度を均一化した後、カ
ラーホイール３に照射される。カラーホイール３は回転しており、ＲＧＢの領域のいずれ
かに光が照射しその光が透過するとき光が照射される位置に配置されているカラーフィル
タにあわせてＲＧＢの波長の光に偏光される。カラーホイール３を透過してきた光は、Ｄ
ＭＤ（登録商標）４にて反射され、映像を投影するのに必要な光は投影レンズ６に、不要
な光は光吸収板５に照射される。投影レンズ６に照射された光は拡大され、スクリーンＳ
ｃに照射されることで、スクリーンＳｃ上に映像が投影される。
【００３１】
図２（Ａ）に本発明にかかるプロジェクタに備えられているカラーホイールの概略図を
、図２（Ｂ）に図２（Ａ）に示すカラーホイールの動作のタイミングチャートを示す。図
２（Ａ）に示すようにカラーホイール３はそれには限定されないがここでは、円周方向に
６等分されている。６等分された領域は、入射した光をＲ（赤）の波長の光に偏光するカ
ラーフィルタを備えたＲ領域、Ｇ（緑）の波長の光に偏光するＧ領域、Ｂ（青）の波長の
光に偏光するＢ領域がそれぞれ２箇所ずつ、中心を挟んで配置されている。
【００３２】
図２（Ｂ）に示すタイミングチャートは従来例で示したのと同じ色（Ｒ：Ｇ：Ｂ＝５：
１：１）をスクリーンＳｃに表示する場合の動作を示している。最上段にカラーホイール
の回転速度を、中段にＤＭＤ（登録商標）が投影レンズに反射しているか光吸収板に反射
しているかを、下段にスクリーンに投影される光の反射時間を、最下段にはＲＧＢの各領
域が光の照射部を通過する時間を示している。
【００３３】
このとき、Ｒ（赤）の成分が多く含まれているので、Ｒ領域に長い時間光を照射するた
めに、Ｒ領域が光の照射位置を通過するときに、カラーホイール３の回転速度を遅くし、
Ｒ領域への光の照射時間を長くする。また、Ｇ（緑）成分、Ｂ（青）成分はＲ（赤）成分
の１／５なので、Ｇ領域、Ｂ領域が光の照射位置を通過するとき、カラーホイール３の回
転速度を早くし、Ｇ領域、Ｂ領域への光の照射時間を短くする。
【００３４】
具体的には次に示すとおりである。カラーホイール３が１分間で約７２００回転するも
のの場合、カラーホイール３が１回転するのに要する時間は８．４ｍｓである。カラーホ
イール３には半周ずつＲ／Ｇ／Ｂ領域が同じ順番で配置されているので、ここでは便宜上
半周を考える。
【００３５】
図２（Ｂ）に示すように、Ｒ領域が光の照射位置を通過するときはカラーホイール３の
回転速度を低速にする。また、Ｒ領域が終了しＧ領域、Ｂ領域が光の照射位置を通過する
ときはカラーホイール３の回転速度を高速にする。このとき、Ｒ領域が光の照射位置を通
過する時間は２．８ｍｓであり、Ｇ領域、Ｂ領域が光の照射位置を通過する時間は共に０
．７ｍｓである。これにより、カラーホイール３が半周するのにかかる時間が４．２ｍｓ
、１周するのに８．４ｍｓであるので、平均すると７２００ｒｐｍで回転しているものと
同じ回転速度になる。
【００３６】
Ｒ領域を透過してきた光はＤＭＤ（登録商標）４に照射される。ここで、ＤＭＤ（登録
商標）４を駆動させて、なるべく長い時間（ここでは２．０ｍｓ）投影レンズ６に反射し
、残りは光吸収板５に反射する。このとき、Ｒ領域が光照射位置を通過するときの前後０
．４ｍｓは他の領域のカラーフィルタの影響を受けやすいので光吸収板５に反射する。
【００３７】
また、Ｇ領域、Ｂ領域では、Ｒ領域が２．０ｍｓであったので、その１／５の時間、つ
まり、０．４ｍｓだけ投影レンズに反射し、残りは光吸収板５に反射する。このとき、Ｒ
領域と同様の理由で前後０．１５ｍｓの間を光吸収板５に反射する。
【００３８】
このように、カラーホイール３の回転速度を、スクリーンＳｃに投影する色のＲＧＢ成
分に合わせて変動させることで、Ｒ領域でのＤＭＤ（登録商標）４が投影レンズ６に反射
する時間は２．０ｍｓ、Ｇ領域での反射時間が０．４ｍｓ、Ｂ領域での反射時間が０．４
ｍｓとなり、カラーホイール３の半周あたりの投影レンズ６への光の照射時間は２．８ｍ
ｓである。これは、カラーホイール３の半周に要する時間が４．２ｍｓであるので、カラ
ーホイール３を透過する光のうち２／３が投影レンズ６に照射される。
【００３９】
これは、カラーホイール３が等速で回転しているときの約２倍の時間であり、光量が２
倍になるのでスクリーンＳｃに明るい色を投影することが可能である。また、カラーホイ
ール３が一周するのに要する時間は、等速で回転する場合と同じであり、低速回転による
ちらつきが発生することもない。
【００４０】
ここで、カラーホイール３は瞬時に回転速度を変えることができない。減速中又は加速
中の透過光であっても、各カラーフィルタを通過した光に変化はなく、ＤＭＤ（登録商標
）４で投影レンズ６に反射させてもよい。Ｒ領域での反射時間２．０ｍｓ、Ｇ、Ｂ領域で
の反射時間０．４ｍｓは、等速である必要はない。
【００４１】
以上に説明した例では、Ｒ：Ｇ：Ｂ＝５：１：１で混合した色の表示例を示しているが
、ＲＧＢで表すことができる色であれば、本発明のカラーホイールの制御方法を用いるこ
とであらゆる混合比の色をスクリーンに投影することが可能である。
【図面の簡単な説明】
【００４２】
【図１】ＤＬＰ（登録商標）プロジェクタの概略配置図である。
【図２】図（Ａ）は図１に示すプロジェクタに使用されているカラーフィルタを示す図であり、図（Ｂ）は本発明にかかるカラーフィルタの制御方法によって制御したカラーフィルタの動作を示すタイミングチャートである。
【図３】図（Ａ）は図１に示すプロジェクタに使用されているカラーフィルタを示す図であり、図（Ｂ）は従来のカラーフィルタの制御方法によって制御したカラーフィルタの動作を示すタイミングチャートである。
【符号の説明】
【００４３】
Ａ  プロジェクタ
１  白色ランプ
２  ライトトンネル
３  カラーホイール
４  ＤＭＤ（登録商標）
５  光吸収板
６  投影レンズ
【図１】
2006011087.tif 000003
【図２】
2006011087.tif 000004
【図３】
2006011087.tif 000005